(57)【特許請求の範囲】
【請求項１】
外枠２に対して開閉可能に組付けられたべース枠４裏側の支持枠体５内に遊技盤１０が着脱交換可能に嵌込まれるとともに、前記遊技盤１０の裏側を透視し得る開口窓４１の周囲に球タンク４２とタンクレール４３と球の払出装置４４と電源基板ボックス４５と枠基板制御ボックス４６とを配設した裏セット部材４０が前記べース枠４の裏側に対して開閉可能に組付けられた遊技機において、
前記裏セット部材４０の開口窓４１に対して前記遊技盤１０の裏側器具類を覆蓋保護するための裏カバー体５０が開閉可能に取着され、この裏カバー体５０の裏側背面の基板装着面５１に遊技作動制御をなす主制御基板ボックス６０が装着されるとともに、前記裏カバー５０の上方部位で前記遊技盤１０の裏側に設置された基板取付部材７０に対して左右に横長で上下に扁平な副制御基板ボックス８０が装着されており、
前記基板取付部材７０は、前記副制御基板ボックス８０を前後の向きに嵌挿し得る収納筒７２が、天板部７６及び底板部７７と左右の側板部７８，７８を一体に有する左右に横長で上下に扁平な角筒箱状に形成されており、この収納筒７２の外周縁に前記遊技盤１０の裏側に取着される取付フランジ７５を形成し、前記側板部７８には左右の弾性変形が許容されて前記副制御基板ボックス８０に弾性的に係止する係止爪７３を形成し、前記収納筒７２の内部に前記副制御基板ボックス８０の嵌挿位置を規制するストッパ部７４を形成し、前記天板部７６及び底板部７７に前記副制御基板ボックス８０を把持して着脱し易くするための切り欠き部７６ａ，７７ａを形成して、前記収納筒７２が前記裏セット部材４０の開口窓４１の上部内を挿通して裏側に水平に突出した状態で取着されており、
前記副制御基板ボックス８０は、前記基板取付部材７０の収納筒７２の後側開口部から嵌合わせて前方に挿入されて前記ストッパ部７４で前端位置が位置決めされるとともに、前記係止爪７３で係止された状態で装着されることを特徴とする遊技機。
【発明の詳細な説明】
【０００１】
【発明の属する技術分野】
この発明はパチンコ機のような遊技機に関する。
【０００２】
【従来の技術】
従来、例えば、遊技機としてのパチンコ機において、その所定位置には、モータ、ソレノイド、ランプ、スピーカ、図柄表示装置等の各種の電気器機が配設される。
また、パチンコ機の後面側（裏側）には、前記各種の電気器機を制御するための主制御基板を有する主制御基板ボックスや、ランプ制御基板、音制御基板等の副制御基板を有する副制御基板ボックスが配設される。
主制御基板ボックスの主制御基板は、パチンコ機全体の制御を司るものであり、特に、「大当たり」に関する判定、確率等の制御を行うことから、不正行為の対象になり易い。これに対し、ランプ制御基板、音制御基板等の副制御基板を有する副制御基板ボックスは、不正行為の対象になりにくい。
このため、パチンコ機の後面側に対し、主制御基板ボックスがほぼ平行して主制御基板ボックスが配設され、これによって、主制御基板ボックスに対する不正行為、例えば、主制御基板ボックスの封印部材が破損されているか否かの確認をし易くしているのが一般的である。
【０００３】
【発明が解決しようとする課題】
ところで、近年、パチンコ機のモータ、ソレノイド、ランプ、スピーカ、図柄表示装置等の各種の電気器機は、その数が多くなり、その制御も複雑化する傾向にある。このため、主制御基板ボックスも大型化する傾向にあった。
このようなことから、パチンコ機の後面側に対し、主制御基板ボックスの他、所要数の副制御基板ボックスを配設するスペースを確保することが困難となる場合があった。
【０００４】
この発明の目的は、前記従来の問題点に鑑み、遊技機の後面側に対しては主制御基板ボックスをほぼ平行状に配設して主制御基板に対する不正行為の発見を容易とし、同遊技機の後面側の残されたスペース内において、副制御基板ボックスを容易に配設することができる遊技機を提供することである。
【０００５】
【課題を解決するための手段】
前記目的を達成するために、第１の発明に係る遊技機は、請求項１に記載のとおりの構成を要旨とする。
したがって、遊技機の後面に対しほぼ平行状をなして主制御基板ボックスが装着されることによって、遊技機の後方から主制御基板ボックスが視認し易い状態に保たれる。
また、副制御基板ボックスは、遊技機の後面に対しほぼ直角状をなして配設されることによって、遊技機の後面側の限られたスペースに副制御基板ボックスを容易に配置することができる。
【０００６】
また、遊技機のほぼ鉛直状をなす後面に対しほぼ平行状をなして主制御基板ボックスが装着されることによって、遊技機の後方から主制御基板ボックスが視認し易い状態に保たれる。また、副制御基板ボックスは、遊技機のほぼ鉛直状をなす後面に対しほぼ直角状をなして配設されることによって、遊技機の後面側の限られたスペースに副制御基板ボックスを容易に配置することができる。
【０００７】
また、遊技機の遊技盤の後面側に設けられた装着部材の後面側を基板装着面として、その基板装着面に、遊技機のほぼ鉛直状をなす後面に対しほぼ平行をなして主制御基板ボックスが装着されることによって、遊技機の後方から主制御基板ボックスが視認し易い状態に保たれる。また、副制御基板ボックスは、遊技機のほぼ鉛直状をなす後面に対しほぼ直角状をなして配設されることによって、遊技機の後面側の限られたスペースに副制御基板ボックスを容易に配置することができる。
【０００８】
また、主制御基板ボックスと球誘導レールとの間のスペースにおいて、遊技盤の後面に対し他の装備品と干渉することなく副制御基板ボックスを容易に装着することが可能となる。
【０００９】
また、遊技機の後面側に装着された基板取付部材の収納筒の後方開口部から副制御基板ボックスを差し込むことによって、同副制御基板ボックスを収納筒に収納保持することができ、遊技機の後面に対する副制御基板ボックスの装着が容易となる。
【００１０】
また、遊技盤に対し裏カバー体を開閉動作したときに、主制御基板ボックスと副制御基板ボックスとが共に裏カバー体と一体に開閉動作する。このため、裏カバー体の開閉動作が原因となって主制御基板ボックスと副制御基板ボックスとを接続している接続線が外れたり断線する不具合が生じない。
【００１１】
【発明の実施の形態】
（実施の形態１）
この発明の実施の形態１を図１〜図１０にしたがって説明する。
遊技機としてのパチンコ機を背面から表した図１、図１のＩＩ−ＩＩ線に基づく断面で表した図２及び正面から表した図３において、パチンコ機１は、外枠２、ベース枠（前枠とも呼ばれている）４及び表枠２０を主体として構成されている。
外枠２は、方形枠状に形成され、その前面の下部には、ベース枠４の下端面を受ける下受板３が設けられている。
外枠２の前面の一側には、ヒンジ機構によってベース枠４が開閉可能に組み付けられている。
【００１２】
図２に示すように、ベース枠４は、遊技盤１０の前面の略全体を露出する開口部を有する方形額縁状に形成されている。
ベース枠４の前面には、その一側においてヒンジ機構によって表枠２０が開閉可能に組み付けられている。
図９に示すように、表枠２０は、表枠本体２１、補強部材２２、ガラス枠２４等を備えている。表枠本体２１は、合成樹脂材料よりなり、その略中央部には、後述する遊技盤１０の遊技領域を透視可能な略円形の開口窓が形成されている。
前記表枠本体２１の後面には、その表枠本体２１を補強するための鉄板等の金属板よりなる補強部材２２が装着されている。この補強部材２２は、表枠本体２１の後面の略全域にわたる面積を有し、その補強部材２２の後面には鉄板等の金属板よりなるガラス枠２４が溶接等によって一体状に設けられている。
ガラス枠２４には、その上方から前後二枚の方形のガラス板２５が着脱交換可能に差し込まれ、これら二枚のガラス板２５がガラス押え部材２４ａによって押さえられて装着されている。そして、二枚のガラス板２５によって遊技盤１０の遊技領域の前面が透視可能に覆われかつ表枠本体２１の開口窓が塞がれるようになっている。
【００１３】
また、図９に示すように、表枠本体２１の所定位置には透光性の合成樹脂材料よりなるレンズ部材２６が設けられ、そのレンズ部材２６と表枠本体２１との間の空間部にはランプ２８を有するランプ基板２７が配設されている。
また、図２と図３に示すように、ベース枠４の前面には、表枠２０の下方に隣接して上皿３０が設けられ、その上皿３０の所定位置にはスピーカ３１が組み込まれている。また、ベース枠４の前面の下部には、上皿３０の直下に位置して下皿３２が組み付けられ、その下皿３２の側方に球発射用のハンドル３３が組み付けられている。
【００１４】
図１と図２に示すように、ベース枠４の後面には、その開口部周縁に沿って支持枠体５が設けられている。この支持枠体５の枠内には、遊技盤１０が着脱可能に嵌込まれ、裏セット部材４０によって押えられて保持されている。
裏セット部材４０は、その一側において、ヒンジ機構によって支持枠体５の一側の枠部に開閉可能に装着されている。さらに、裏セット部材４０は、支持枠体５に対し閉じられた状態において、所要数の留め具６によって係脱可能に閉止されるようになっている。
この裏セット部材４０の中央部には、ほぼ四角形状をなす開口窓４１が形成されている。
【００１５】
また、図１と図２に示すように、裏セット部材４０の後面の上部には、その片側寄り（図１に向かって左側部）に位置して球タンク４２が装着されている。この球タンク４２の下方には球誘導レールとしてのタンクレール４３が装着されている。
タンクレール４３は、その一端部（図１に向かって左端部）が球タンク４２に連通し、他端部（図１に向かって右端部）が次に述べる払出装置４４に向けて延出されている。さらに、タンクレール４３は、その一端から他端に向けて下傾する傾斜状をなすとともに、球タンク４２から送られた球を、例えば前後２列に整列させて流下案内し、その球を払出装置４４に供給するようになっている。
裏セット部材４０の後面の片側（図１に向かって右側）部分には、払出装置４４が装着されている。そして、払出装置４４の上端の球流入口は球タンク４２の他端の球送り出し口に連通している。この払出装置４４の下部後面には、枠制御基板ボックス４６が装着されている。
また、裏セット部材４０の後面の上部には、タンクレール４３に隣接して電源基板ボックス４５が装着されている。
【００１６】
図１と図２に示すように、遊技盤１０の後面には、裏セット部材４０の開口窓４１に臨んで裏カバー体５０が設けられている。この裏カバー体５０は、遊技盤１０の裏側に装着された裏誘導部材、図柄表示装置の取付台（図示しない）等を覆うようになっている。
すなわち、裏カバー体５０は、裏セット部材４０の開口窓４１よりも適宜に小さくかつ前側（遊技盤１０側）が開口する箱形状に形成されている。
そして、図１０に示すように、裏カバー体５０は、その一側（図１０に向かって左側）部分に一体に形成された取付部５２においてネジ等によって遊技盤１０の後面に取り付けられている。
さらに、裏カバー体５０の取付部５２には、薄肉のヒンジ部５３が形成されている。そして、裏カバー体５０は、薄肉のヒンジ部５３を支点として開閉可能に構成されている。さらに、遊技盤１０の後面に向けて裏カバー体５０が閉じられたときには、遊技盤１０の後面側に固定の弾性変形可能な係止フック等の閉止部材５５によって裏カバー体５０が係脱可能に閉止されるようになっている。
【００１７】
図１と図２に示すように、前記裏カバー体５０の後面はパチンコ機１の後方から視認し易い場所となる。このため、この実施の形態１においては、裏カバー体５０を装着部材とし、その裏カバー体５０のほぼ鉛直状をなす後面を基板装着面５１としている。そして、裏カバー体５０の基板装着面５１には、主制御基板が収納された主制御基板ボックス６０がほぼ平行状をなして装着されている。
主制御基板ボックス６０は、基板装着面５１に対しビス等によって固定されたベース体６２と、そのベース体６２を開閉可能に覆う蓋体６３とを備えている。
また、ベース体６２には、パチンコ機全体の制御を司るとともに、「大当たり」に関する判定、確率等の制御を行う主制御回路を有する主制御基板がビス等によって固定されている。
さらに、主制御基板ボックス６０の四周のうち、少なくとも一辺において、ベース体６２と蓋体６３に跨って周知の封印手段６５が配設されている。この封印手段６５は、複数の封印部６６を切除可能に備えている。
【００１８】
図１と図２に示すように、遊技盤１０の後面には、主制御基板ボックス６０とタンクレール４３との間において、基板取付部材７０を介して副制御基板ボックス８０が遊技盤１０の後面にほぼ直角状にかつ水平状をなして配設されている。そして、副制御基板ボックス８０は、裏セット部材４０の開口窓４１の上部を通して後方に突出している。
図４〜図８に示すように、副制御基板ボックス８０は、副制御基板としての音制御基板８３と、ランプ制御基板８４とを左右方向に隣接して収納するためのものであり、ベース体８５と蓋体８６とを備えかつ一方向（図では左右方向）に長く、これに直交する方向（図では上下方向）に短い、扁平な箱形状に形成されている。
【００１９】
図７と図８に示すように、ベース体８５は、音制御基板８３と、ランプ制御基板８４とを一方向（図７では左右方向）に隣接して収納し得る大きさの上方開口する薄箱状に形成され、そのベース体８５には、音制御基板８３と、ランプ制御基板８４とがほぼ同一平面上においてビス等によって固定されている。
そして、ベース体８５の開口部には音制御基板８３及びランプ制御基板８４を覆って蓋体８６が開閉可能に装着されている。
【００２０】
また、この実施の形態１において、図８に示すように、ベース体８５の開口部には、段差状をなす張出縁８５ａが形成されている。そして、音制御基板８３及びランプ制御基板８４は、その下面周縁部がベース体８５の張出縁８５ａの段差面に当接して支持された状態でビス等によって固定されている。
また、蓋体８６の先端部周縁には、ベース体８５の開口部の張出縁８５ａと、音制御基板８３及びランプ制御基板８４の周縁との間に差し込まれる嵌合縁８６ａが形成されている。
なお、音制御基板８３及びランプ制御基板８４は、図示しない接続線によって主制御基板ボックス６０の主制御基板に電気的に接続されている。
そして、音制御基板８３は、主制御基板から出力される制御信号に基づいてスピーカ３１を作動制御する。また、ランプ制御基板８４は、主制御基板から出力される制御信号に基づいて各種のランプ（表枠２０のランプ２８を含む）を点滅制御するようになっている。
【００２１】
図４〜図７に示すように、遊技盤１０の後面の上部に対し副制御基板ボックス８０を収納して保持するための基板取付部材７０は、収納筒７２と、その収納筒７２の前端部に張り出し状に設けられた取付フランジ７５とを一体に備え、その取付フランジ７５において、遊技盤１０の後面の上部にビス等によって固定されている。
基板取付部材７０の収納筒７２は、天板部７６、底板部７７、及び左右の両側板部７８を一体に備えかつ副制御基板ボックス８０の外形状に対応して左右方向に長く上下方向に扁平な筒状に形成されている。
【００２２】
図６と図７に示すように、収納筒７２の天板部７６及び底板部７７の幅方向中央部には、その奥行き方向の中間部から先端部（後端部）にわたって切り欠き部７６ａ、７７ａがそれぞれ形成され、これら各切り欠き部７６ａ、７７ａによって副制御基板ボックス８０の着脱性、放熱性等が高められるようになっている。
また、天板部７６及び底板部７７の内面の奥側部（前端部）には、副制御基板ボックス８０の差し込み端部に当接してその差し込み量（長さ）を制限するストッパ部７４がそれぞれ設けられている。
さらに、収納筒７２の左右の両側板部７８の内面には、副制御基板ボックス８０がストッパ部７４に当接する所定長さだけ差し込まれたときに、その副制御基板ボックス８０の蓋体８６の両側部外面に係脱可能に係合する係止爪７３が突設されている。そして、収納筒７２の後方開口部から副制御基板ボックス８０が差し込まれることによって、同副制御基板ボックス８０が係止爪７３に抜け止めされた状態で収納筒７２に収納されて保持されるようになっている。
【００２３】
この実施の形態１のパチンコ機１は上述したように構成される。したがって、パチンコ機１の後方から視認し易い場所、すなわち、外枠２に対しベース枠４を前方に開いた状態において、パチンコホールの管理人（店員）が視認し易い場所となる裏カバー体５０のほぼ鉛直状をなす後面を基板装着面５１として主制御基板ボックス６０がほぼ平行状をなして装着されている。
このため、主制御基板ボックス６０の封印手段６５の封印部６６が不測に破損されているか否かを容易に視認することができ、主制御基板ボックス６０の主制御基板に対する不正行為を防止することができる。
【００２４】
また、副制御基板ボックス８０は、遊技盤１０の後面にほぼ直角状をなして配設されることによって、パチンコ機１の後側の限られたスペースに副制御基板ボックス８０を配置することが容易となる。
また、遊技盤１０の後面から副制御基板ボックス８０の後面までの距離寸法を、ほぼ副制御基板ボックス８０の奥行き寸法に留めることができ、副制御基板ボックス８０がパチンコ機１の後側に大きく突出する不具合を防止することができる。さらに、遊技盤１０の後面に対し、裏カバー体５０を介して主制御基板ボックス６０を装着するとともに、副制御基板ボックス８０を基板取付部材７０を介して装着することができるため、パチンコ機の組立ラインにおける主制御基板ボックス６０や副制御基板ボックス８０の組み付け作業も容易となる。
【００２５】
また、副制御基板ボックス８０の内部には、副制御基板としての音制御基板８３とランプ制御基板８４とを左右に隣接しかつほぼ同一平面（水平面）上に配置することができる。
また、遊技盤１０の後面の上部に装着された基板取付部材７０の収納筒７２の後方開口部から副制御基板ボックス８０を差し込むことによって、同副制御基板ボックス８０を収納筒７２に収納保持することができる。このため、主制御基板ボックス６０とタンクレール４３との間の極めて小さいスペースにおいて、他の装備品と干渉することなく副制御基板ボックス８０を容易に装着することが可能となる。
【００２６】
（実施の形態２）
次に、この発明の実施の形態２を図１１にしたがって説明する。
この実施の形態２においては、裏セット部材４０の後面の上部には、その片側寄り（図１１に向かって左側）に電源基板４５が配設され、反対側に（図１１に向かって右側）に球タンク４２が装着されている。
そして、球タンク４２下方には球誘導レールとしてのヘリカル式タンクレール１４３が装着されている。ヘリカル式タンクレール１４３は、特開平１１−２２６２１１号公報に開示されているように、球を螺旋状に流下させて整列させる構造となっており、特に幅方向に小さいスペースに容易に配設できる構造となっている。
このヘリカル式タンクレール１４３の上端部は球タンク４２に連通し、下端部は払出装置４４の上部に連通している。そして、球タンク４２の球をヘリカル式タンクレール４３において螺旋状に流下させて整列させ、その球を払出装置４４に向けて供給するようになっている。
【００２７】
したがって、この実施の形態２においては、実施の形態１の傾斜状の球タンク４２の配置スペースにほぼ相当する分だけ裏セット部材４０の開口窓４１を上方に拡大している。そして、裏セット部材４０の拡大した開口窓４１に対応する部分において、遊技盤１０の後面には、裏カバー体５０が薄肉のヒンジ部を支点として開閉可能に装着されている。
さらに、この実施の形態２においては、裏セット部材４０の開口窓４１を上方に拡大した分だけ、裏カバー体５０が上方に拡大して形成され、その裏カバー体５０の後面の基板装着面５１も上方に拡大されている。
このため、裏カバー体５０の基板装着面５１に対しほぼ平行状に装着される主制御基板ボックス６０において、図１１の２点鎖線で示すように、上下方向に拡大したとしても、その拡大した大型の主制御基板ボックス６０’を容易に装着することができる。
その他の構成は実施の形態１とほぼ同様にして構成される。そして、副制御基板ボックス８０においては、主制御基板ボックス６０とタンクレール４３との間のスペースにおいて、他の装備品と干渉することなく配設することができる。
【００２８】
（実施の形態３）
次に、この発明の実施の形態３を図１２にしたがって説明する。
この実施の形態３においては、遊技盤１０の後面に開閉可能に装着された裏カバー体５０の後面の基板装着面５１には、実施の形態１とほぼ同様にして主制御基板ボックス６０が装着されている。
そして、主制御基板ボックス６０と接続線によって電気的に接続される副制御基板ボックス８０が、裏カバー体５０の上面に沿ってほぼ水平に装着されている。これによって副制御基板ボックス８０は、遊技盤１０の後面に対してほぼ直角状をなしている。
その他の構成は、実施の形態１と同様に構成される。
【００２９】
したがって、この実施の形態３において、遊技盤１０に対し裏カバー体５０を開閉動作したときに、主制御基板ボックス６０と副制御基板ボックス８０とが共に裏カバー体５０と一体に開閉動作する。このため、裏カバー体５０の開閉動作が原因となって主制御基板ボックス６０と副制御基板ボックス８０とを接続している接続線に張力が作用し、その接続線が外れたり断線する不具合が生じない。
【００３０】
なお、この発明は前記実施の形態１〜３に限定するものではない。
例えば、前記実施の形態１〜３においては、副制御基板ボックス８０に対し副制御基板としての音制御基板８３とランプ制御基板８４とがそれぞれ収納される場合を例示したが、音制御基板８３、ランプ制御基板８４以外の副制御基板、例えば、電源基板、枠制御基板、中継基板等を副制御基板として副制御基板ボックス８０に収納してもよい。
また、副制御基板ボックス８０には、２つ以上の副制御基板を収納することも可能であり、また１つの副制御基板のみを収納してもよい。
また、前記実施の形態１〜３においては、裏カバー体５０の後面を基板装着面５１として主制御基板ボックス６０を装着する場合を例示したが、裏カバー体５０のない型式のパチンコ機である場合、その遊技機の後面側に装着される裏セット部材等の基板装着部材の後面を基板装着面とし、その基板装着面に、遊技機のほぼ鉛直状をなす後面に対し主制御基板ボックスがほぼ平行状をなすように装着される。
また、この発明は、パチンコ機（アレンジボール機、雀球機等も含む）以外の遊技機、例えば、スロットマシン等の遊技機に対しても適応することができる。
【００３１】
【発明の効果】
以上述べたように、この発明によれば、遊技機の後面側に対しほぼ平行状に主制御基板ボックスを配設して、主制御基板ボックスに対する不正行為の発見を容易にしながら、同遊技機の後面側の残されたスペース内において、副制御基板ボックスを容易に配設することができる。
【図面の簡単な説明】
【図１】この発明の実施の形態１に係る遊技機としてのパチンコ機全体を示す背面図である。
【図２】同じく図１のＩＩ−ＩＩ線に基づく縦断面図である。
【図３】同じくパチンコ機全体を示す正面図である。
【図４】同じく遊技盤の後面に対し基板取付部材を介して副制御基板ボックスが装着された状態を示す平断面図である。
【図５】同じく遊技盤の後面に対し基板取付部材を介して副制御基板ボックスが装着された状態を示す背面図である。
【図６】同じく遊技盤の後面に対し基板取付部材を介して副制御基板ボックスが装着された状態を示す側断面図である。
【図７】同じく遊技盤の後面の基板取付部材の収納筒の後方開口部から副制御基板ボックスが差し込まれる前の状態を示す説明図である。
【図８】同じく副制御基板ボックスを示す側断面図である。
【図９】同じくベース枠と表枠との関係を拡大して示す部分断面図である。
【図１０】同じく遊技盤の後面に対し裏カバー体が開閉可能に装着された状態を示す断面図である。
【図１１】この発明の実施の形態２に係る遊技機としてのパチンコ機全体を示す背面図である。
【図１２】この発明の実施の形態３を示し、裏カバー体の上面に副制御基板ボックスが装着された状態を示す断面図である。
【符号の説明】
１  パチンコ機（遊技機）
１０  遊技盤
４２  球タンク
４３  タンクレール（球誘導レール）
５０  裏カバー体
５１  基板装着面
６０  主制御基板ボックス
６１  主制御基板
６５  封印手段
６６  封印部
７０  基板取付部材
７２  収納筒
８０  副制御基板ボックス
８３  音制御基板（副制御基板）
８４  ランプ制御基板（副制御基板）
【図１】
0004346058.tif 000002
【図２】
0004346058.tif 000003
【図３】
0004346058.tif 000004
【図４】
0004346058.tif 000005
【図５】
0004346058.tif 000006
【図６】
0004346058.tif 000007
【図７】
0004346058.tif 000008
【図８】
0004346058.tif 000009
【図９】
0004346058.tif 000010
【図１０】
0004346058.tif 000011
【図１１】
0004346058.tif 000012
【図１２】
0004346058.tif 000013